(57)【要約】【課題】ハウジングに圧入した金属保持脚の固定部の保持が保たれなくなったときでも、金属保持脚が電気機器内に混入しないようにする。【解決手段】ハウジング１表面に、複数のピンジャック２を設け、このハウジング１を回路基板４に取り付けて、この複数のピンジャック２の各端子２ａをこの回路基板４の回路に接続するピンジャック端子板である。このハウジング１の裏面の対向する位置に所定数の金属保持脚２０、２１が圧入して固定される。この金属保持脚２０、２１は、ハウジングに圧入される固定部ｃと、回路基板のマウント孔に挿入固定される係合突起２０ａ、２１ａとから形成されている。そして、金属保持脚２０、２１の固定部ｃの幅は、回路基板のマウント孔の幅より大きく形成されており、仮に、固定部とハウジングとの固定が外れても、金属保持脚２０、２１が電子機器内に落下して混入しないようになっている。【選択図】図１
2009087880.tif 000002
【特許請求の範囲】
【請求項１】
回路基板が取り付けられるハウジングと、
該ハウジング表面に設けられる複数のピンジャックと、
前記ハウジングの裏面の対向する位置に突出して設けられる複数の金属保持脚と、を備えたピンジャック端子板であって、
前記金属保持脚は、前記ハウジングに固定するための固定部と、前記回路基板に保持固定される係合突起とから構成され、
前記金属保持脚の固定部と係合突起の間の部分は、テーパ状又は階段状になっていて、前記固定部は、前記回路基板に前記係合突起を挿入するために設けたマウント孔よりも大きい幅に形成されている、
ことを特徴としているピンジャック端子板。
【請求項２】
前記金属保持脚の係合突起は、く字状又は逆く字状であることを特徴とする請求項１に記載のピンジャック端子板。
【請求項３】
前記金属保持脚は、板厚の異なる複数の回路基板に対応できるようにしたことを特徴とする請求項１に記載のピンジャック端子板。
【請求項４】
ピンジャック端子板と回路基板を保持固定する方法であって、
前記ピンジャック端子板は、該ハウジング表面に設けられる複数のピンジャックと、
前記ハウジングの裏面の対向する位置に突出して設けられる複数の金属保持脚と、からなり、
前記金属保持脚は、前記ハウジングに固定される固定部と、前記回路基板に保持固定される係合突起とから構成され、
前記回路基板には、前記金属保持脚に形成された前記係合突起が挿入されるマウント孔が設けられており、
前記金属保持脚の固定部と係合突起間は、テーパ状又は階段状になっていて、前記固定部は、前記回路基板に設けられたマウント孔の幅よりも大きな幅で形成され、
前記回路基板上に形成された前記マウント孔に、前記複数の金属保持脚の係合突起を挿入させた後、前記回路基板の裏面を、溶融するハンダに浸して、前記ピンジャックの端子を前記回路基板に保持接続すること
を特徴とするピンジャック端子板と回路基板との固定方法。
【請求項５】
前記金属保持脚は弾性体で形成され、前記ピンジャック端子板と回路基板の固定に際し、前記金属保持脚の復元力により前記回路基板を前記ピンジャック端子板方向に引き込むようにしたことを特徴とする請求項４に記載のピンジャック端子板と回路基板との固定方法。
【発明の詳細な説明】
【技術分野】
【０００１】
本発明は、例えばテレビジョン受像機とビデオレコーダ等との電気機器間において、映像信号、音声信号等を伝送するターミナル部等を構成する回路基板に保持接続するピンジャック端子板及びこのピンジャック端子板と回路基板との固定方法に関する。
【背景技術】
【０００２】
従来、テレビジョン受像機とビデオレコーダ等との電気機器間において、映像信号、音声信号等を伝送するターミナル部等を構成するのに、回路基板に保持接続するピンジャック端子板が使用されている（特許文献１参照）。
【０００３】
まず、この従来のターミナル部について、図４、図５、図６を参照して説明する。図４はこのターミナル部の例を示す斜視図、図５はピンジャック端子板の裏面側から見た斜視図、図６は回路基板の裏面側から見た斜視図である。
【０００４】
図４に示すように、合成樹脂により射出成形された所定形状例えば直方体形状のハウジング１が設けられ、その表面に必要数、必要種類のピンジャック２を設けて、ピンジャック端子板３が構成されている。
【０００５】
このピンジャック端子板３を、図６に示すように所定の回路が形成された回路基板４に取り付け、図４に示すように各ピンジャック２に所定のピンプラグ５を挿入することにより、電気機器間を接続するようにしている。
【０００６】
従来のピンジャック端子板では、図５に示すように、ハウジング１の裏面側の一方の壁の中央位置に、この一方の壁に連続して垂直下方（この図５においては垂直上方）に一体成形したロック爪１ｂを有する脚１ａを設けている。
【０００７】
また、このハウジング１の裏面側の一方の壁に対向する他方の壁に、この他方の壁の一側端及び他側端から夫々１／３の位置に夫々他方の壁に連続して垂直下方（この図５においては垂直上方）に一体成形したロック爪１ｂを有する脚１ａを２つ設けている。
【０００８】
この場合、このハウジング１の裏面側の一方の壁及び他方の壁に連続して垂直下方に一体成形したロック爪１ｂを有する３個の脚１ａの夫々のロック爪１ｂは互いに外側を向くように形成されている。
【０００９】
また、図６に示すように、所定の回路が設けられた回路基板４上には、ピンジャック端子板３の脚１ａに対応する位置にマウント孔４ａが形成されている。また、この回路基板４上において回路が形成される位置には、ピンジャック端子板３のピンジャック２の各端子２ａを接続するための接続孔４ｂが形成されている。
【００１０】
従来、このピンジャック端子板３を回路基板４にマウントする場合には、ピンジャック端子板３に複数設けられた脚１ａを回路基板４のマウント孔４ａに挿入することによって行われていた。すなわち、ピンジャック端子板３の複数の脚１ａの夫々のロック爪１ｂが回路基板４のマウント孔４ａに係合固定されて取り付けられるようになっている。
また、同時に、ピンジャック端子板３の各ピンジャック２の各端子２ａは、回路基板４上に設けられた接続孔４ｂに挿入されるように形成されている。
【００１１】
従来のピンジャック端子板においては、ピンジャック端子板３の各ピンジャック２の各端子２ａを溶融したハンダに浸してハンダ付けする、いわゆるディップハンダ付けにより、回路基板４上の回路の所定位置に上記各端子２ａを電気的に接続するようにしている。
なお、図５、図６に示すように、位置決め用のボス６がハウジング１と一体成形されている。
【００１２】
ところで、従来のピンジャック端子板においては、ピンジャック端子板３を回路基板４にマウントするときに、ハウジング１のロック爪１ｂを有する脚１ａを回路基板４に設けたマウント孔４ａに嵌め込みロック爪１ｂで係合固定していた。そして、各ピンジャック２の各端子２ａを回路基板４の所定の回路に形成された所定の接続孔４ｂに挿入し、ディップハンダ付けをしていた。
【００１３】
このとき、溶融したハンダが、この合成樹脂で形成されている脚１ａのロック爪１ｂに当たることがあり、このハンダがこの脚１ａのロック爪１ｂに当たると、ロック爪１ｂが溶けることがある。そして、ロック爪１ｂが溶けると保持力がなくなるので、マウント浮きにつながってしまう。このため、従来のピンジャック端子板では、このマウント浮きを防止するため、浮き防止治具が必要になるという不都合があった。
【００１４】
また、このロック爪１ｂや位置決め用のボス６等の合成樹脂部分が溶けたときには、この溶けた部位にハンダボールが付着するおそれが生じる。そして、この溶けた部位に付着したハンダボールが電気機器内で脱落するおそれがある。
ハンダボールが電気機器内に脱落すると、発煙発火につながる場合があるので、この付着したハンダボールを、後工程で人手により完全に除去しなければならないという問題があった。
【００１５】
このため、ロック爪１ｂや位置決め用のボス６等の合成樹脂部分が、ディップハンダ付けにより溶けるのを防止する必要があるが、その一つの方法として、ディップハンダを行うときに、ロック爪１ｂ及び位置決め用のボス６等の合成樹脂部分のみをカバーするマスク治具を取り付けることが考えられる。しかし、この場合、ロック爪１ｂと位置決め用のボス６等の合成樹脂部分のみにカバーするマスク治具を取り付けなければならないほか、部品端子の配置によっては、マスクが不可能な箇所も残るという問題が生じる。
【００１６】
また、ピンジャック端子板３の合成樹脂よりなる脚１ａのロック爪１ｂで回路基板４に、ピンジャック端子板３を係合保持するようにしたときには、回路基板４の板厚に応じてピンジャック端子板３を形成しなければならないという不都合が生じる。例えば、板厚が１．６ｍｍの場合は、それに応じたピンジャック端子板を作成する必要があり、板厚が１．２ｍｍの場合には、その厚さに応じて、ピンジャック端子板３を形成しなければならなかった。
【００１７】
また、ピンジャック端子板３の合成樹脂よりなる脚１ａのロック爪１ｂを回路基板４のマウント孔４ａに係合保持する場合には、ロック爪１ｂが回路基板４の係合保持に効いている部分は、片側０．２ｍｍ〜０．４ｍｍ程度の幅しかない。
このため、脚１ａのロック爪１ｂを回路基板４のマウント孔４ａに係合保持するように加工する場合には、回路基板４のマウント孔４ａが試作段階のＮＣ加工から、量産対応のプレス加工に変わっただけ（寸法不変）でも、その嵌合が円滑に行かなくなる場合がある。なお、この嵌合の悪さは、回路基板４のエッジの荒さに影響を受けやすいものである。
【００１８】
そこで、本出願人は、先の出願（特願２００７―７２０３号、以下「先願発明」という。）において、図７〜図９に示すようなピンジャック端子板を提案した。
以下、図７〜図９を参照して、このピンジャック端子板につき説明する。この図７及び図８において、図５及び図６に対応する部分には同一符号を付して示す。
【００１９】
図７は、先願発明におけるピンジャック端子板３の裏面側から見た斜視図であり、図８は、同じく先願発明に用いられる回路基板の裏面側から見た斜視図である。
【００２０】
図７においても、図５に示したものと同様に、ハウジング１は、射出成形された合成樹脂からなる、例えば直方体形状のハウジングであり、このハウジングの表面に、必要数、必要種類のピンジャック２（図４参照）を設けて、ピンジャック端子板３が構成される。
【００２１】
この図７に示したピンジャック端子板と、図５に示した従来のピンジャック端子板と異なる部分は、ピンジャック端子板３を構成するハウジング１の壁１０ａと１０ｂに、係合突起１１ａ、１２ａを有する金属保持脚１１、１２を設けた点である。すなわち、図５のピンジャック端子板３に設けられている脚１ａとロック爪１ｂに代わり、図７のピンジャック端子板では、係合突起１１ａ、１２ａを有する金属保持脚１１、１２を設けた点に特徴がある。
【００２２】
この金属保持脚１１及び１２の係合突起１１ａ及び１２ａは、図９に示すように、所定長さの細長い金属板の下部をく字状又は逆く字状に屈曲して形成される。ここで金属板としてはステンレススチール等の材料が用いられる。そして、く字状又は逆く字状部の係合突起１１ａ及び１２ａの上部に、垂直方向に延びる所定長さの固定部ｃが形成されている。
【００２３】
この図７〜図９に示すピンジャック端子板では、この金属保持脚１１及び１２の固定部ｃを、合成樹脂より成るハウジング１の裏面側の一方の壁１０ａ及び他方の壁１０ｂに圧入固定するようにしている。
【００２４】
ここで、一例を示すと、金属保持脚１１、１２の固定部ｃの長さＬ１は３．０ｍｍであり、係合突起１１ａ、１２ａを形成するく字状又は逆く字状部の1辺の垂直方向の長さＬ２は２.５ｍｍとされ、係合突起１１ａ、１２ａの幅Ｌ３は２.０ｍｍとされる。
【００２５】
このように、係合突起１１ａ、１２ａを形成するく字状又は逆く字状部の1辺の垂直方向の長さＬ２を２.５ｍｍとし、係合突起１１ａ、１２ａの幅Ｌ３を２.０ｍｍとしたときには、後述する回路基板４の板厚が１．６ｍｍあるいは１．２ｍｍのいずれにも対応することができ、保持固定を良好に行うことができるのである。
【００２６】
この場合、金属保持脚１１及び１２を夫々ハウジング１の対向する一方の壁１０ａ及び他方の壁１０ｂに圧入固定したときには、この金属保持脚１１及び１２の夫々の係合突起１１ａ及び１２ａは夫々互いに外側に向くようになっている。
【００２７】
また、このピンジャック端子板３の金属保持脚１１及び１２に対応する、回路基板４の所定位置にはマウント孔４ａが形成される。また、この回路基板４上に形成される所定回路に対応して接続孔４ｂが形成される。この接続孔４ｂは、ピンジャック端子板３のピンジャック２の各端子２ａが接続される孔となる。
【００２８】
この図７〜図９に示したピンジャック端子板においては、ピンジャック端子板３を回路基板４にマウントする場合、特に図８に示されるように、ピンジャック端子板３の金属保持脚１１及び１２を回路基板４のマウント孔４ａに挿入するようにする。この挿入の結果、金属保持脚１１及び１２の夫々の係合突起１１ａ及び１２ａの弾性反発力によって、ピンジャック端子板３と回路基板４とが保持固定されるのである。ここで、ピンジャック端子板３の各ピンジャック２の各端子２ａは、回路基板４上に形成された接続孔４ｂ、４ｂ…に挿入されることは言うまでもない。
【００２９】
ピンジャック端子板３の回路基板４へ挿入後、ピンジャック端子板３の各ピンジャック２の各端子２ａを、溶融したハンダに浸す、いわゆるディップハンダ付けを行う。このディップハンダ付けにより、回路基板４上に形成された回路とピンジャック端子板３の各ピンジャック２の各端子２ａとが電気的に接続されることになる。
【００３０】
図７〜図９に示したピンジャック端子板によれば、金属保持脚１１及び１２により、ピンジャック端子板３を回路基板４に保持固定しているので、ディップハンダ付けを行ったときに、この金属保持脚１１及び１２が溶けることがなく、保持固定が確実に行われる。このため、ピンジャック端子板３が回路基板４からの浮きを生じることがない。
【００３１】
ここで、万が一、ディップハンダ付け時に回路基板４が反って、その一部が浮き上がっても、金属保持脚１１及び１２の夫々の係合突起１１ａ及び１２ａがく字状又は逆く字状をしているので、自ら引き込もうとする復元力により、両者間の浮きは防止されるのである。
【００３２】
また、金属保持脚１１及び１２は、ディップハンダ付け時にハンダが当っても溶けることがなく、ハンダボールが付着することがないので、このハンダボールを除去する後工程を必要としない。
【００３３】
また、金属保持脚１１及び１２は、それ自身の弾性反発力により回路基板４に対して保持しているので、微小な孔寸法の変化や、回路基板４のエッジの荒さの変化に対してもマージンが大きく、安定して保持固定することができるようになっている。
【特許文献１】特開平１０−７９２７８号公報
【発明の開示】
【発明が解決しようとする課題】
【００３４】
然しながら、図７〜図９に示した先願発明においては、ピンジャック端子板３を回路基板４に固定する金属保持脚１１及び１２をハウジング１の対向する一方の壁１０ａ及び他方の壁１０ｂに圧入固定するようにしているので、この金属保持脚１１及び１２を一定幅、例えば３ｍｍ幅の金属板により形成するようにしたときには、次のような不都合があった。
【００３５】
どのような場合に不都合が生じるかを説明すると、第１は、ディップハンダ付けするときに、溶融ハンダへの浸漬時間が何らかの要因により、設定時間より長くなってしまった場合である。第２は、ハウジング１の射出成形に問題があり、この金属保持脚１１及び１２を圧入固定するスリット部が完全に成形されなかった場合である。
また、第３の場合として、圧入固定後の金属保持脚１１及び１２に強いストレスがかかり、保持部分にダメージを受けた場合等が考えられる。
【００３６】
このような場合に、ピンジャック端子板３を回路基板４に固定するときには格別な問題がないとしても、ディップハンダ付け後に問題が生じる場合がある。例えば、ディップハンダ付け後に、テレビジョン受像機等の電気機器に組み込まれた状態で、この金属保持脚１１及び１２の圧入固定部の保持が保たれなくなる場合である。このような場合、金属保持脚１１又は１２のいずれかが破損して、電気機器内に混入してしまうことが起こりうる。
【００３７】
このように、金属保持脚１１、１２がテレビジョン受像機等の電気機器内に混入したときには、この混入した金属保持脚１１、１２が、活電部に触れるおそれがある。そして、この金属保持脚１１、１２が電気機器の活電部に触れることによって、発煙、発火といった重大なトラブルを引き起こす場合も考えられる。
【００３８】
本発明は、斯かる点に鑑み、この金属保持脚の圧入固定部の保持が保たれなくなったときでも、この金属保持脚が電気機器内に混入しないようにすることを目的とする。
【課題を解決するための手段】
【００３９】
上記課題を解決するため、本発明のピンジャック端子板は、回路基板が取り付けられるハウジングと、該ハウジング表面に設けられる複数のピンジャックと、ハウジングの裏面の対向する位置に突出して設けられる複数の金属保持脚と、を備えたピンジャック端子板であって、金属保持脚は、ハウジングに固定するための固定部と、回路基板に保持固定される係合突起とから構成され、この金属保持脚の固定部と係合突起の間の部分は、テーパ状又は階段状になっていて、固定部の幅は、係合突起を挿入するために回路基板に設けたマウント孔よりも大きい幅に形成されている、ことを特徴としている。
【００４０】
また、本発明は、ピンジャック端子板と回路基板の固定方法を提供する。すなわち、本発明のピンジャック端子板と回路基板の固定方法は、上述したピンジャック端子板に設けられた複数の金属保持脚を、回路基板に設けられた複数のマウント孔に、挿入させた後、回路基板の裏面を溶融するハンダに浸して、ピンジャックの端子と前記回路基板とを保持接続することを特徴としている。なお、さらに好ましい形態として、金属保持脚は弾性体であって、ピンジャック端子板と回路基板の固定に際し、金属保持脚の復元力により回路基板をピンジャック端子板方向に引き込むようにしている。
【発明の効果】
【００４１】
本発明によれば、金属保持脚の固定部の幅を回路基板のマウント孔の幅より大きくしたので、この金属保持脚の圧入固定部の保持が保たれなくなったときでも、この回路基板のマウント孔でひっかかり、この金属保持脚が電気機器内に混入することがない。
また、金属保持脚と回路基板との固定が確実に行われるため、何らかの原因で回路基板に反りが生じても、ピンジャック端子板と回路基板との間に隙間（浮き）が生じることがなくなるという作用効果がある。
【発明を実施するための最良の形態】
【００４２】
以下、図１〜図４を参照して、本発明のピンジャック端子板及びピンジャック端子板と回路基板とを固定する方法に関する実施の形態の例（以下、「本例」という。）につき説明する。
本例においても、例えばテレビジョン受像機とビデオレコーダ等との電気機器間において、映像信号、音声信号等を伝送するターミナル部等を構成する回路基板に接続保持されるピンジャック端子板につき説明する。図２及び図３において、図７及び図８に対応する部分には同一符号を付して示す。
【００４３】
図２は、本例のピンジャック端子板３の裏面側から見た斜視図であり、図３は回路基板の裏面側から見た斜視図である。なお、本例のターミナル部の斜視図は図４と同様である。
【００４４】
図２、図４において、ピンジャック端子板３は、射出成形された所定形状、例えば直方体形状の合成樹脂性のハウジング１の表面に、図３に示すように必要数、必要種類のピンジャック２が設けられる。
【００４５】
このピンジャック端子板３を、所定の回路が形成された回路基板４に取り付け、各ピンジャック２に所定のピンプラグ５を挿入することにより、電気機器間を接続するようにしている。
【００４６】
本例においては、図２に示すように、ピンジャック端子板３を構成するハウジング１の裏面側の一方の壁１０ａに、この一方の壁１０ａの中央位置に垂直下方（この図２においては垂直上方）に突出して、下部に係合突起２０ａを有する１個の金属保持脚２０が設けられている。
【００４７】
また、このハウジング１の裏面側の一方の壁１０ａに対向する他方の壁１０ｂに、この他方の壁１０ｂの一側端及び他側端から夫々１／３の位置に夫々垂直下方（この図２においては垂直上方）に突出して、下部に係合突起２１ａ、２１ａを有する２個の金属保持脚２１、２１が設けられる。
【００４８】
この金属保持脚２０及び２１は、同じ方法で形成されるものであり、図１に示すように、所定長さの細長い、ステンレススチール等の金属板の下部をく字状又は逆く字状に屈曲して、係合突起２０ａ及び２１ａとしている。そして、このく字状又は逆く字状部の上部に垂直方向に延びる所定長さの固定部ｃが設けられている。
【００４９】
本例においては、この金属保持脚２０及び２１の固定部ｃを、合成樹脂より成るハウジング１の裏面側の一方の壁１０ａ及び他方の壁１０ｂに圧入固定するようにする。そして、この金属保持脚２０及び２１の固定部ｃの幅Ｗを後述する回路基板４のマウント孔４ａの幅ｗ０より大きくする。例えば、図１Ａに示すように、この金属保持脚２０及び２１の固定部ｃの幅Ｗを５ｍｍとし、係合突起２０ａ及び２１ａの幅を３ｍｍとし、回路基板４のマウント孔４ａの幅ｗ０を４ｍｍとする。
【００５０】
この場合、この金属保持脚２０、２１の圧入固定の保持がルーズにならないように、この金属保持脚２０、２１の固定部ｃの幅Ｗ例えば５．０ｍｍに対し、一方の壁１０ａ及び他方の壁１０ｂの保持穴サイズの幅を例えば４．０ｍｍとするようにする。
【００５１】
また、図１Ａ及びＢに示すように、この金属保持脚２０、２１の固定部ｃと係合突起２０ａ及び２１ａとの間に所定長さ、例えば３ｍｍ程度のテーパ部２０ｂ（２１ｂ）を設けるようにする。一例として示すと、金属保持脚２０、２１の固定部ｃの長さＬ１を３．０ｍｍ以上とし、係合突起２０ａ、２１ａを形成するく字状又は逆く字状部の1辺の垂直方向の長さＬ２をそれぞれ２.５ｍｍとし、係合突起２０ａ、２１ａの奥行きＬ３を２.０ｍｍとする。この図１Ａは、金属保持脚２０（２１）の前面図を示し、図１Ｂは、この金属保持脚２０（２１）を壁１０ａ（１０ｂ）に圧入固定した状態を示す側面図である。
【００５２】
係合突起２０ａ、２１ａを形成するく字状又は逆く字状部の1辺の垂直方向の長さＬ２を２.５ｍｍとし、係合突起２０ａ、２１ａの奥行きＬ３を２.０ｍｍとしたときには、後述する回路基板４の板厚が１．６ｍｍあるいは１．２ｍｍのいずれの基板にも対応させることができ、ピンジャック端子板と回路基板の保持固定を良好に行うことができる。
【００５３】
この場合、この金属保持脚２０及び２１を夫々ハウジング１の対向する一方の壁１０ａ及び他方の壁１０ｂに圧入固定したときには、この金属保持脚２０及び２１の夫々の係合突起２０ａ及び２１ａは夫々互いに外側を向くようにする。
【００５４】
また、回路基板４のピンジャック端子板３の金属保持脚２０及び２１に対応する位置には、マウント孔４ａが形成されている。そして、この場合、このマウント孔４ａのそれぞれの幅ｗ０を、金属保持脚２０、２１の固定部ｃの幅Ｗ、例えば５．０ｍｍより小さく、かつ、係合突起２０ａ及び２１ａの幅、例えば３ｍｍより大きく形成するようにする。この場合には、マウント孔４ａの大きさは、４ｍｍとする。
また、この回路基板４上に形成された回路の位置に対応して、ピンジャック端子板３のピンジャック２の各端子２ａが接続される接続孔４ｂを形成するようにする。
【００５５】
次に、本例のピンジャック端子板を回路基板に固定する（マウントする）方法について説明する。
本例において、ピンジャック端子板３を回路基板４にマウントする場合、ピンジャック端子板３の金属保持脚２０及び２１を回路基板４のマウント孔４ａに挿入する。
【００５６】
このとき、金属保持脚２０及び２１の夫々の係合突起２０ａ及び２１ａの弾性反発力により、ピンジャック端子板３が回路基板４に保持固定されるようになっている。
【００５７】
この場合、図３に示すように、ピンジャック端子板３の各ピンジャック２の各端子２ａは、回路基板４の所定の回路に形成された所定の接続孔４ｂに挿入される。
【００５８】
このピンジャック端子板に設けた金属保持脚２０、２１を回路基板４のマウント孔４ａに挿入して保持固定した後、回路基板４の裏面のピンジャック端子板３の各ピンジャック２の各端子２ａを溶融したハンダに浸す、いわゆるディップハンダ付けを行う。これにより、回路基板４上に形成された回路とピンジャック端子板３の各ピンジャック２の各端子２ａとの電気的接続が可能となる。
【００５９】
本例によれば、金属保持脚２０、２１の固定部ｃと係合突起２０ａ、２１ａとの間は、テーパ状に形成しており、この結果、固定部ｃの幅Ｗは、回路基板のマウント孔４ａの幅ｗ０より大きくしている。このため、ハウジングに圧入する金属保持脚２０、２１の固定部が、ハウジングに保持されなくなった場合でも、回路基板４のマウント孔４ａでひっかかり、金属保持脚２０、２１が電気機器内に落下して混入することがない。
なお、図１の例では、固定部ｃと係合突起２０ａ、２１ａとの間は、テーパ状に形成したものとして説明したが、回路基板４のマウント孔４ａの幅ｗ０が、固定部ｃの幅より小さく、係合突起２０ａ、２１ａの幅よりも大きく形成されるならば、テーパ状でなくてもよい。例えば、階段状にしてもよい。
【００６０】
従って、本例によれば、金属保持脚２０、２１が電気機器内に混入して、この金属保持脚２０、２１が活電部に触れるおそれがなく、発煙、発火といった重大なトラブルする発生することがない。
【００６１】
また、本例によれば、金属保持脚２０及び２１、２１により、ピンジャック端子板３を回路基板４に保持固定するようにしているので、ディップハンダ付けを行ったときに、この金属保持脚２０及び２１が溶けることがなく、保持固定が確実に行われる。したがって、ピンジャック端子板３と回路基板４との間に間隙（浮き）を生じることがない。
【００６２】
この場合、万が一、ディップハンダ時に回路基板４が反って、回路基板の一部が浮き上がっても、金属保持脚２０及び２１の夫々の係合突起２０ａ及び２１ａがく字状又は逆く字状をしているので、自ら引き込もうとする復元力により浮きは防止される。
【００６３】
また、本例のピンジャック端子板では、金属保持脚２０及び２１を用いているので、ディップハンダ付け時にハンダが当っても溶けることがなく、ハンダボールが付着することがないので、このハンダボールを除去する後工程を必要としない。
【００６４】
また、本例によれば、金属保持脚２０及び２１によりピンジャック端子板３を回路基板４に保持固定するようにしている。つまり、金属保持脚２０及び２１は、それ自身の弾性反発力により回路基板４に対して保持されている。したがって、微小な孔寸法の変化、回路基板４のエッジの荒さの変化にもマージンが大きいため、保持固定がより強固になる。
【００６５】
また、本例によれば、金属保持脚２０及び２１の夫々の係合突起２０ａ及び２１ａがく字状又は逆く字状をしている。このため、係合突起２０ａ、２１ａを形成するく字状又は逆く字状部の1辺の垂直方向の長さＬ２を、２.５ｍｍとし、係合突起１１ａ、１２ａの奥行きＬ３を２.０ｍｍとしたときには、回路基板４の板厚の異なる、例えば板厚１．６ｍｍ及び板厚１．２ｍｍのいずれの回路基板に対しても、良好に保持固定することができる。
【００６６】
なお、本発明は、上述の実施形態例に限ることなく、特許請求の範囲に記載された本発明の要旨を逸脱しない限り、その他種々の構成が採り得ることは勿論である。
【図面の簡単な説明】
【００６７】
【図１】本発明に使用される金属保持脚の例を示し、Ａは前面図、Ｂは圧入固定した状態を示す側面図である。
【図２】本発明ピンジャック端子板を実施するための最良の形態の例を示す裏面から見た斜視図である。
【図３】本発明に使用される回路基板の例を示す裏面から見た斜視図である。
【図４】ターミナル部の例を示す斜視図である。
【図５】従来のピンジャック端子板の例を示す裏面から見た斜視図である。
【図６】従来の回路基板の例を示す裏面から見た斜視図である。
【図７】ピンジャック端子板の例を示す裏面から見た斜視図である。
【図８】回路基板の例を示す裏面から見た斜視図である。
【図９】金属保持脚の例を示す側面図である。
【符号の説明】
【００６８】
１…ハウジング、２…ピンジャック、２ａ…端子、３…ピンジャック端子板、４…回路基板、４ａ…マウント孔、４ｂ…接続孔、１０ａ…一方の壁、１０ｂ…他方の壁、２０、２１…金属保持脚、２０ａ、２１ａ…係合突起
【図１】
2009087880.tif 000003
【図２】
2009087880.tif 000004
【図３】
2009087880.tif 000005
【図４】
2009087880.tif 000006
【図５】
2009087880.tif 000007
【図６】
2009087880.tif 000008
【図７】
2009087880.tif 000009
【図８】
2009087880.tif 000010
【図９】
2009087880.tif 000011